(57)【要約】【課題】映像（番組）に関する情報を得てこの情報をもとに関連情報を自動的に検索し、ユーザーの手間を掛けさせずに映像と同時にこの関連情報を記録再生すること。【解決手段】記録再生装置１０と、表示装置２０と、ネットワーク４０に接続し任意の情報を検索するＰＣ３０と、ＰＣと記録再生装置との間のデジタルインターフェース１０２と、を備えた映像処理システムであって、記録再生装置１０は現在記録中の映像に関する番組情報をＰＣ３０に伝送し、ＰＣは番組情報をもとにネットワーク４０，サーバ４１で検索して番組情報よりさらに詳細な情報を得て、デジタルインターフェース１０２を通して記録再生装置１０に出力し、記録再生装置１０は、映像の記録中に、ＰＣ３０から得た詳細な情報を同時に記録し再生すること。【選択図】図１
2008047972.tif 000002
【特許請求の範囲】
【請求項１】
放送を受信して得られる映像を記録再生する記録再生装置と、前記記録再生装置から出力される映像を表示する表示装置と、ネットワークに接続し任意の情報を検索する情報処理装置と、前記情報処理装置から映像またはデータを前記記録再生装置に出力するデジタルインターフェースと、を備えた映像処理システムであって、
前記記録再生装置は、現在記録中の映像に関する情報を前記デジタルインターフェースを通して前記情報処理装置に伝送し、
前記情報処理装置は、前記映像に関する情報をもとにネットワーク上で検索して前記映像に関連する情報を得て、前記デジタルインターフェースを通して前記記録再生装置に出力し、
前記記録再生装置は、前記映像の記録中に、前記情報処理装置からの前記出力を同時に記録する
ことを特徴とする映像処理システム。
【請求項２】
請求項１において、
前記デジタルインターフェースとしてＨＤＭＩを使用することを特徴とする映像処理システム。
【請求項３】
請求項１において、
前記デジタルインターフェースとしてＤＶＩを使用することを特徴とする映像処理システム。
【請求項４】
請求項１において、
前記情報処理装置からの映像を前記記録再生装置に記録する場合に、全画面記録するか、画面の中の一部の領域に記録するかを選択可能とすることを特徴とする映像処理システム。
【請求項５】
請求項１において、
前記情報処理装置は、前記映像と異なる形式の関連情報を前記記録再生装置に出力し、
前記記録再生装置は、前記関連情報を形式変換して、前記映像の記録中に同時に前記形式変換した関連情報を記録する
ことを特徴とする映像処理システム。
【請求項６】
放送波を受信して得られる映像と前記映像に関する情報を信号処理して表示装置に映像を出力するとともに、信号処理した映像と前記映像に関する情報とを記録再生する記録再生装置であって、
前記映像に関する情報を元にさらに前記映像に関連する情報を外部サーバ、情報処理装置から検索の結果として得て、
前記得られた映像に関連する情報を前記映像の記録と同時に記録する
ことを特徴とする記録再生装置。
【発明の詳細な説明】
【技術分野】
【０００１】
本発明は、放送を受信して表示および記録再生された映像に関する関連情報を自動的に収集または表示を行う映像処理システムに関する。
【０００２】
記録再生装置に関する。
【背景技術】
【０００３】
液晶やＰＤＰなどのＴＶは表示装置の高解像度化が進み、さらにデジタル接続するためのインターフェース端子を備える機種が増えてきているため、ユーザーが所持しているパーソナルコンピュータ（以下、ＰＣ）を接続して、ＰＣのモニターとしても使用される場合も多い。また、ＰＣはネットワーク機能を備えてインターネットに接続されている場合も多い。
【０００４】
図２には、視聴中の映像に関連する情報を得るための、ＨＤＤ録再装置を備えたＴＶとＰＣとからなる映像処理システムについての従来技術を示す。図２によると、ＨＤＤ録再装置１０は、アンテナ１１で受信した放送波をチューナ１２、信号処理部１４、及び映像出力部１５を介して、表示装置であるＴＶ２０に表示可能な映像信号に変換して送信する。ＰＣ３０は、ＴＶ２０に接続されていて、ＴＶで表示する映像に関連する情報をインターネット４０を通して外部サーバ４１から得て、ＴＶ２０に表示するように構成されている。
【０００５】
ここで、ユーザーが現在視聴中の映像に関する情報を得ようとする場合、記録再生装置（ＨＤＤ録再装置１０）で電子番組表を表示し、番組名や出演者、内容などの情報を確認することが出来る。
【０００６】
また、より詳しい情報を得ようとすると、例えばインターネット上の電子番組表を利用することで、現在視聴中の映像に関する情報を得ることも可能であるし、別途外部サーバ４１による検索機能で関連する情報を得ることも可能である。この場合、外部サーバからの情報はＨＴＭＬで得るため、例えば、特許文献１のように、インターネット上の情報のうちＨＴＭＬで記述された情報をデータ放送用のＢＭＬ（Ｂｒｏａｄｃａｓｔ  Ｍａｒｋｕｐ  Ｌａｎｇｕａｇｅ）に変換する技術が提案されている。
【０００７】
また、デジタルインターフェースの双方向通信を行う信号を用いて、例えば、特許文献２のように、一つのリモコンの情報を各周辺機器と送受信し、各機器を制御するシステムが提案されている。
【特許文献１】特開２００３−１６７８２８号公報
【特許文献２】特開２００４−２０８２９０号公報
【発明の開示】
【発明が解決しようとする課題】
【０００８】
従来技術のように、記録再生装置を用いて、放送に重畳された電子番組表から番組の簡単な説明を得ることは可能であるが、より詳細な情報や関連する情報を得ようとした場合（例えばサーバを用いて）は、ユーザー自身がキーワードをＰＣに入力して検索する必要がある。また、検索した結果を記録したい場合も映像とは別々に記録する必要が生じていた。
【０００９】
本発明の目的は、映像に関する情報を得てこの情報をもとに関連情報を自動的に検索し、ユーザーの手間を掛けさせずに映像と同時にこの関連情報を記録する映像処理システムを提供することにある。
【課題を解決するための手段】
【００１０】
前記課題を解決するために、本発明は主として次のような構成を採用する。  
放送を受信して得られる映像を記録再生する記録再生装置と、前記記録再生装置から出力される映像を表示する表示装置と、ネットワークに接続し任意の情報を検索する情報処理装置と、前記情報処理装置から映像またはデータを前記記録再生装置に出力するデジタルインターフェースと、を備えた映像処理システムであって、
前記記録再生装置は、現在記録中の映像に関する情報を前記デジタルインターフェースを通して前記情報処理装置に伝送し、前記情報処理装置は、前記映像に関する情報をもとにネットワーク上で検索して前記映像に関する情報にさらに関連する情報を得て、前記デジタルインターフェースを通して前記記録再生装置に出力し、前記記録再生装置は、前記映像の記録中に、前記情報処理装置からの前記出力を同時に記録する構成とする。
【発明の効果】
【００１１】
本発明によると、ユーザーの手を煩わすことなく番組の関連する情報を自動的に収集することができ、望んだ時の望んだ状態で関連情報を表示することができ、ユーザーの利便性を高めることできる。
【発明を実施するための最良の形態】
【００１２】
本発明の実施形態に係る映像処理システムについて、図１と図３を参照しながら以下詳細に説明する。図１は本発明の実施形態に係る映像処理システムにおけるＨＤＤ録再装置（記録再生装置）とＴＶ（表示装置）とＰＣ（情報処理装置）との関連構成を示す全体ブロック図である。図３は本実施形態に係る映像処理システムに適用されるＨＤＭＩの概略を説明する図である。
【００１３】
図面において、１０はＨＤＤ録再装置（記録再生装置）、１１はアンテナ、１２はチューナ、１３はＨＤＤ（記憶媒体）、１４は信号処理部、１５は映像出力部、１６はデジタルインターフェース入力部、１７はリモコン受信部、１８はリモコン、２０はＴＶ（表示装置）、３０はＰＣ（情報処理装置）、３１はモデム、３３はキーボード、４０はインターネット、４１は外部サーバ、１０１はデジタルインターフェース、１０２はデジタルインターフェース、をそれぞれ表す。
【００１４】
図１において、記録再生装置１０は、アンテナ１１で受けた放送波をチューナ１２で受信し、その信号を信号処理部１４に送る。信号処理部１４は圧縮された映像の場合はデコード処理を行い、ベースバンド信号の場合は同期処理や色信号処理を行い、表示装置であるＴＶ２０で表示可能な映像信号に変換する。この映像信号は映像出力部１５からＴＶ２０に出力され表示される。
【００１５】
ここで、信号処理部１４ではＨＤＤ１３への記録再生処理も行う。圧縮されている信号については圧縮されたままで、ベースバンド信号の場合は圧縮処理を行ってから記録可能な信号に変換して、ＨＤＤ１３に書き込む。再生の場合は、ＨＤＤ１３から読み出した信号をデコード処理し、ＴＶ２０で表示可能な映像信号に変換する。上述した信号に対する処理や記録の手法は記録再生装置のひとつの例であり、信号処理が別な方法でも構わないし、ＨＤＤがＤＶＤや他の媒体でも構わない。
【００１６】
ＰＣ３０の映像出力はデジタルインターフェース１０２経由で記録再生装置１０に接続されている。デジタルインターフェース入力部１６から入力されたＰＣ３０の映像信号は、信号処理部１４で表示可能な映像に変換され映像出力部１５から出力されＴＶ２０に表示されるか、チューナ１２からの映像や、ＨＤＤ１３から再生された映像と重ね合わせて表示されることも可能である。信号処理部１４はＰＣ３０からの映像を記録できる信号形式に変換し、ＨＤＤ１３に記録することも出来る。また、ＰＣ３０はモデム３１を通してインターネット４０に接続し外部のサーバ４１と通信を行うことが出来る。
【００１７】
ところで、現在、どのような内容の映像を表示しているかという情報は、映像と同時に送られてくる電子番組表から得ることができる。電子番組表のデータは圧縮された映像のストリーム中に埋め込まれた状態で、もしくはブランキング期間に多重された状態で送られてくるため、信号処理部１４でその情報をデコードすることで電子番組表のデータが得られる。
【００１８】
電子番組表のデータには、映像のタイトル、出演者、内容などの情報が含まれている。これらの映像に関する情報を同時に記録することにより、再生時にも記録された映像がどのような内容かを特定することが出来る。この映像に関する情報をデジタルインターフェース１０２を経由してＰＣ３０に転送する。
【００１９】
ＰＣ３０は、映像のタイトル、出演者、内容に含まれる語句をキーワードとして外部サーバにて検索を行う。ここで、デジタルインターフェースとしてＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を使用することとしてもよく、また、このインターフェースはＤＶＩ（Ｄｉｇｉｔａｌ  Ｖｉｓｕａｌ  Ｉｎｔｅｒｆａｃｅ）を使用することも可能である。
【００２０】
次に、ＨＤＭＩについて説明する。ＨＤＭＩの構成を図３に示す。ＨＤＭＩは送信側２００と受信側２０１で構成され、送信側２００は映像や音声の出力側に搭載され、受信側２０１はＴＶなどの映像や音声を表示する機器に搭載される。送信部と受信部の間はＨＤＭＩケーブルで接続される。送信側２００は映像信号と音声信号をＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）でエンコードして出力する。受信側２０１は受信した信号をデコードして元の信号に戻し、映像信号と音声信号として出力する。
【００２１】
図３に示すＣＥＣ２０３（Ｃｏｎｓｕｍｅｒ  Ｅｌｅｃｔｒｏｎｉｃｓ  Ｃｏｎｔｒｏｌ）は、ＨＤＭＩで規格化されている機器制御信号と制御プロトコル機器制御ラインで、民生機器用の制御信号を伝送するものである。また、図３に示すＤＤＣ２０２（Ｄｉｓｐｌａｙ  Ｄａｔａ  Ｃｈａｎｎｅｌ）とは、主にプラグアンドプレイのため、ディスプレイ  （コンピュータ）の固有情報（ベンダ名や型番、解像度など）を接続しているビデオカードに通知する方式である。
【００２２】
図１（図３も参照）に示すように構成された本発明の実施形態において、記録時の動作について説明する。記録しようとしている映像の情報は電子番組表のデータから映像のタイトル、出演者、内容などを得ることが出来る。その情報はデジタルインターフェース１０２（ＨＤＭＩ）のＣＥＣラインを通じて記録再生装置１０からＰＣ３０に転送される。
【００２３】
ＰＣ３０はＣＥＣライン上の特定のパターンの入力が来たことを検出すると、その情報（電子番組表データ）についてインターネット４０上の外部サーバ４１にアクセスして関連情報を入手する。この関連情報は画像、テキスト、ＨＬＭＬあるいは任意に加工した一覧情報として映像の形でデジタルインターフェース１０２に出力される。
【００２４】
信号処理部１４は、デジタルインターフェース入力部１６から得たＰＣ３０の映像を記録可能な形式に変換し、ＨＤＤ１３に記録する。このとき、記録中の映像（番組）に、ＰＣ３０からのデータを関連付けるための情報も同時に記録する。
【００２５】
この記録された映像（番組）を再生するとき、リモコン１８の操作で、再生している映像（番組）に現在再生中の映像に関連情報を重畳するか、関連情報の画面に切り替えるか、画面サイズを縮小して同時に表示するか、何れかの処理を行い映像出力部１５から出力する。換言すると、ＰＣ３０からの関連情報（映像又はデータ）を記録再生装置１０に記録する場合に、映像（番組）の記録との関連で、全画面記録するか、画面の中の一部の領域に記録するかをリモコン操作で選択可能とすることができる。
【００２６】
このとき、ＰＣ３０から記録再生装置１０に映像以外の情報を転送することも考えられる。そのために、映像信号のブランキング期間に情報を埋め込み、デジタルインターフェース入力部１６で映像と分離して記録できる形式に変換する。この情報がテキストやＨＴＭＬの場合、信号処理部１４はＢＭＬ（Ｂｒｏａｄｃａｓｔ  Ｍａｒｋｕｐ  Ｌａｎｇｕａｇｅ）に変換して記録することも考えられる。
【００２７】
以上説明したように、本発明の実施形態に係る映像処理システムは、次のような構成を備えることを主たる特徴とするものである。すなわち、現在表示中の映像に関する情報をデジタルインターフェースを用いてＰＣに送信し、その内容に関連する情報を自動的に検索し、記録再生装置にデジタルインターフェースを経由して送信し記録することにより、ユーザーの手間を掛けさせずに映像と同時に映像に関する情報を記録するものである。
【図面の簡単な説明】
【００２８】
【図１】本発明の実施形態に係る映像処理システムにおけるＨＤＤ録再装置とＴＶとＰＣとの関連構成を示す全体ブロック図である。
【図２】従来技術において、視聴中の映像に関連する情報を得るための、ＨＤＤ録再装置とＴＶとＰＣとからなる映像処理システムの全体構成を示す図である。
【図３】本実施形態に関するＨＤＭＩの概略を説明する図である。
【符号の説明】
【００２９】
１０  ＨＤＤ録再装置
１１  アンテナ
１２  チューナ
１３  ＨＤＤ
１４  信号処理部
１５  映像出力部
１６  デジタルインターフェース入力部
１７  リモコン受信部
１８  リモコン
２０  ＴＶ
３０  ＰＣ
３１  モデム
３３  キーボード
４０  インターネット
４１  外部サーバ
１０１  デジタルインターフェース
１０２  デジタルインターフェース
【図１】
2008047972.tif 000003
【図２】
2008047972.tif 000004
【図３】
2008047972.tif 000005